(57)【要約】  本発明のある実施形態は、遮蔽されたコードレス注入器と、種々の放射性薬剤ピッグと、シリンジの輸送及び使用中にシリンジをピッグに残留させるシリンジ構造とを有する放射性薬剤システムに関する。いくつかの実施形態では、遮蔽されたコードレス注入器は、注入器、該注入器の周囲に少なくとも部分的に配置された放射線シールド、注入器に結合された駆動装置、及び駆動装置に結合されたエネルギー貯蔵装置を含む。ピッグは、放射性薬剤の放射能レベル、及び/又は患者に投与される所望の（例えば正確な）単位投与量の放射性薬剤を表示するディスプレイスクリーンを備えたコンピュータを有する。
2008540038.tif 000002
【特許請求の範囲】
【請求項１】
放射性薬剤装置において、
第１コンピュータと、
前記第１コンピュータへのワイヤ接続を有する第１電気コネクタと、
放射線遮蔽材を含む放射性薬剤ピッグとからなり、
前記放射性薬剤ピッグは、
第２コンピュータと、
前記放射性薬剤ピッグに装着され、前記第２コンピュータに電気接続された第２電気コネクタとからなり、
前記第１電気コネクタは、前記放射性薬剤ピッグの第２電気コネクタと接続可能であり、前記第１コンピュータを前記第２コンピュータと電気接続する放射性薬剤装置。
【請求項２】
さらに、前記第１電気コネクタを支持するベースユニットを有する請求項１に記載の装置。
【請求項３】
さらに、前記第１コンピュータを支持する制御装置を有する請求項１に記載の装置。
【請求項４】
前記制御装置はさらに、前記第１電気コネクタを支持する請求項３に記載の装置。
【請求項５】
さらに、前記制御装置に電気的に接続され該制御装置により制御されるドーズキャリブレータを有する請求項３に記載の装置。
【請求項６】
放射性薬剤装置において、
放射線遮蔽材を有する放射性薬剤ピッグであって、
第１コンピュータと、
前記第１コンピュータに電気的に接続された第１電気コネクタと、
からなる放射性薬剤ピッグと、
前記放射性薬剤ピッグを機械的に支持するように構成されたベースユニットと、
第２コンピュータと、
前記ベースユニット上にあって前記第２コンピュータにワイヤレス接続され、前記第１電気コネクタと接続可能で、前記第２コンピュータを前記放射性薬剤ピッグの第１コンピュータと電気的に接続する第２電気コネクタと、
からなる放射性薬剤装置。
【請求項７】
さらに、前記第２コンピュータを支持する制御装置を有する請求項６に記載の装置。
【請求項８】
さらに、前記制御装置に電気的に接続され該制御装置により制御されるドーズキャリブレータを有する請求項７に記載の装置。
【請求項９】
放射性薬剤ピッグにおいて、
少なくとも１つの放射線遮蔽材からなり、放射性薬剤容器を収容するように適合された容器を有する本体と、
少なくとも１つの放射線遮蔽材からなり、前記本体に解放可能に取り付けられ、前記容器をピッグに包囲する蓋と、
メモリと入/出力装置を有し、前記本体と前記蓋のいずれかに装着されたコンピュータとからなる放射性薬剤ピッグ。
【請求項１０】
さらに、前記コンピュータに電気的に接続され、前記本体と前記蓋のいずれかの外面に装着された第１電気コネクタを有し、前記第１電気コネクタは前記本体の端面に装着されている請求項９に記載の放射性薬剤ピッグ。
【請求項１１】
さらに、第１電気コネクタに電気的に接続され、前記本体と前記蓋のいずれかの外面に装着された第１電気コネクタを有し、前記第１電気コネクタは前記蓋の端面に装着されている請求項９に記載の放射性薬剤ピッグ。
【請求項１２】
さらに、前記コンピュータに電気的に接続され、前記本体と前記蓋のいずれかの外面に装着された第１電気コネクタを有し、前記第１電気コネクタは前記本体の端面に装着され、前記入/出力装置は前記本体に装着されている請求項９に記載の放射性薬剤ピッグ。
【請求項１３】
さらに、ベースユニットと、
前記コンピュータに電気的に接続され、前記本体と前記蓋のいずれかの外面に装着された第１電気コネクタと、
前記ベースユニットにより支持され、前記第１電気コネクタと接続可能である第２電気コネクタとを有する請求項９に記載の放射性薬剤ピッグ。
【請求項１４】
放射性薬剤を保持し注入する装置において、
プランジャと出口端を有するシリンジと、
ピッグとからなり、
前記ピッグは、
前記シリンジを受け入れ、放射線を遮蔽する材料からなり、一端に前記シリンジの出口端を受け入れる出口開口を有する本体と、
前記シリンジと接触し、前記ピッグ内に前記シリンジを保持するように動作可能である引き込み可能なグリッパーと、
前記出口開口を覆い、前記出口開口と前記シリンジの出口端を開放するように移動可能なカバーと、
からなる装置。
【請求項１５】
前記カバーは、放射線を遮蔽する材料からなる請求項１４に記載の装置。
【請求項１６】
前記プランジャは、放射線を遮蔽する材料からなる請求項１４に記載の装置。
【請求項１７】
前記カバーは、前記本体の一端にスライド可能に装着されている請求項１４に記載の装置。
【請求項１８】
前記カバーは、前記本体の一端に回動可能に装着されている請求項１４に記載の装置。
【請求項１９】
前記カバーは、取り外し可能な固着具で前記本体の一端に装着されている請求項１４に記載の装置。
【請求項２０】
前記カバーは、前記本体の一端に取り外し可能に装着されている請求項１４に記載の装置。
【請求項２１】
前記カバーは、前記シリンジの一端に取り外し可能に結合されたキャップからなる請求項１４に記載の装置。
【請求項２２】
前記ピッグはさらに前記本体の他端から延びるフランジ端を有する請求項１４に記載の装置。
【請求項２３】
前記ピッグのフランジ端は、前記シリンジから放射性薬剤を注出するように動作可能な自動注入器に嵌合するように適合されている請求項２２に記載の装置。
【請求項２４】
前記ピッグは、前記シリンジから放射性薬剤を注出するように動作可能な自動注入器に嵌合するように適合されている請求項１４に記載の装置。
【請求項２５】
放射性薬剤を保持し注入する装置において、
プランジャと出口端を有するシリンジと、
ピッグと、
からなり、前記ピッグは、
前記シリンジを受け入れる管状本体であって、
放射線を遮蔽する材料と、
一端に前記シリンジの出口端を受け入れる出口開口とを有する管状本体と、
放射線を遮蔽する材料からなり、前記出口開口を覆い、前記出口開口と前記シリンジの出口端を開放するように移動可能なカバーと、
前記ピッグを支持し、前記プランジャを移動し、前記シリンジから放射性薬剤を注出するように動作可能である携帯自動注入器と、
からなる装置。
【請求項２６】
放射性薬剤を保持し注入する装置において、
第１出口端を有し、放射性薬剤を受け入れるように適合された第１キャビティと、
前記第１キャビティ内に配置された第１プランジャと、
第２出口端を有し、前記放射性薬剤と生体適合性のある液体を受け入れるように適合された第２キャビティと、
前記第２キャビティ内に配置された第２プランジャと、
を有するシリンジと、
前記シリンジを受け入れる管状本体であって、
放射線を遮蔽する材料と、
前記シリンジの前記第１及び第２出口端と隣接する出口開口と、
を有する管状本体と、
前記第１及び第２出口端を覆い、前記出口開口と前記シリンジの出口端を開放するように移動可能であるカバーと、
を有するピッグと、
からなる装置。
【請求項２７】
前記カバーは、放射線を遮蔽する材料からなる請求項２６に記載の装置。
【請求項２８】
前記シリンジは、引き込み可能なグリッパーにより前記管状本体内の支持可能である請求項２６に記載の装置。
【請求項２９】
前記シリンジは、前記管状本体の一部と嵌合することで、前記管状本体に支持可能である請求項２６に記載の装置。
【請求項３０】
放射性薬剤を収容するバイアルからシリンジを充填する装置において、
貫通して延びる開口を有するベースと、
キャップと、
前記ベースの開口の領域を除き、放射性薬剤を収容するバイアルをほぼ包囲するように適合された放射線シールドと、
を有する容器と、
壁と該壁を貫通して延びる開口とを有する本体と、
前記シリンジの針を前記本体の開口に配置して前記シリンジを支持するように適合された装着構造と、
を有する携帯自動充填及び注入装置と、
からなり、前記壁は、容器を受け入れて、前記容器の開口を前記本体の開口に近接して配置し、前記バイアルの放射性薬剤を前記シリンジの針と流体的に連通させる装置。
【請求項３１】
さらに、前記キャップを前記ベースに接続するように動作可能である開放可能なカップリングを有する請求項３０に記載の装置。
【請求項３２】
さらに、前記容器を前記充填及び注入装置に接続するように動作可能である開放可能なカップリングを有する請求項３０に記載の装置。
【請求項３３】
さらに、前記ベースの開口を覆い、前記ベースの開口を覆う放射線シールドを有するベースサポートを有する請求項３０に記載の装置。
【請求項３４】
さらに、前記装着構造に配置可能で、前記シリンジをほぼ包囲するように適合された放射線シールドを有する請求項３０に記載の装置。
【請求項３５】
前記本体はさらに、前記本体の開口の領域を除き、前記本体の周囲にほぼ完全に延びる放射線シールドを有する請求項３０に記載の装置。
【請求項３６】
内部の放射性薬剤をシールする隔壁を有するバイアルから、針を有するシリンジを充填する装置において、
前記バイアルの隔壁に隣接させて前記バイアルを保持するように適合された容器開口と、
前記隔壁の領域を除き、放射性薬剤を収容する前記バイアルを完全に包囲するように適合された放射線シールドと、
を有する容器と、
開口を有する本体と、
前記シリンジの針を前記本体の開口に配置して前記シリンジを支持するように適合された造着構造と、
を有する携帯自動充填及び注入装置と、
からなり、前記本体は、前記容器を受け入れて、前記本体の開口を前記容器開口に近接させて配置し、前記シリンジの針を前記隔壁に突き通し、これにより前記バイアルの放射性薬剤を前記シリンジと流体的に連通させる装置。
【請求項３７】
前記容器はさらに、
ベースと、
前記ベースに接続可能なキャップと、
を有する請求項３６に記載の装置。
【請求項３８】
前記装着構造は、前記本体に対して移動可能である請求項３６に記載の装置。
【請求項３９】
さらに、前記容器を受け入れ、前記容器開口を覆う放射線シールドを有するサポートを有する請求項３６に記載の装置。
【請求項４０】
さらに、前記装着構造内に配置可能で、前記シリンジをほぼ包囲するように適合された放射線シールドを有する請求項３６に記載の装置。
【請求項４１】
前記本体は、さらに、前記本体の開口の領域を除いて、前記本体の周囲にほぼ完全に延びる放射線シールドを有する請求項３６に記載の装置。
【請求項４２】
放射性薬剤を収容するバイアルから、針とプッシュロッドを有するシリンジを充填する装置において、
放射線シールドを有し、放射性薬剤を収容するバイアルを保持するように適合された容器と、
携帯自動充填及び注入装置と、
からなり、前記携帯自動充填及び注入装置は、
壁を貫通して延びる開口を有する本体と、
前記シリンジの針を前記本体の開口に配置して、前記シリンジを支持するように適合された装着構造と、
前記本体は、前記容器を受け入れ、前記バイアルの放射性薬剤を前記シリンジの針と流体的に連通させるように適合され、
シリンジプッシュロッドを操作して前記シリンジに前記バイアルの放射性薬剤を充填するように適合された電気機械装置と、
からなる装置。
【請求項４３】
さらに、
前記電磁機械装置に動作可能に接続されたコントローラと、
入力装置と、前記コントローラに接続され、データを入力し表示するディスプレイとを有するユーザインターフェースと、
を有する請求項４２に記載の装置。
【請求項４４】
さらに、前記充填及び注入装置に装着され、前記コントローラと電気通信するＲＦ−ＩＤタグを有する請求項４２に記載の装置。
【請求項４５】
前記ベースを受け入れ、前記ベースの開口を覆う放射線シールドを有するベースサポートを有する請求項４２に記載の装置。
【請求項４６】
さらに、前記装着構造に配置可能で、前記シリンジをほぼ包囲するように適合された放射線シールドを有する請求項４５に記載の装置。
【請求項４７】
前記本体はさらに、前記本体の開口の領域を除いて、前記本体の周囲にほぼ完全に延びる放射線シールドを有する請求項４５に記載の装置。
【請求項４８】
内部の放射性薬剤をシールする隔壁を有するバイアルからシリンジを充填する方法において、
前記隔膜の領域を除き、前記バイアルを包囲する放射線シールドを有し、前記バイアルの隔壁が容器開口の近傍に位置するように前記バイアルを保持する容器を準備し、
携帯自動充填及び注入装置にシリンジを載置して、前記シリンジの針を前記充填及び注入装置の開口に配置し、
前記容器を前記充填及び注入装置の上に設置して、前記バイアルの隔壁を前記充填及び注入装置の開口の上に配置し、
前記容器と前記充填及び注入装置をお互いに移動し、前記シリンジの針を前記バイアルの隔壁に突き通し、前記バイアルの放射性薬剤を前記シリンジと流体的に連通させる、
ことからなる方法。
【請求項４９】
前記シリンジを設置する前に、前記方法はさらに、前記針及びシリンジプッシュロッドを除き、前記シリンジを前記シリンジをほぼ包囲する放射線シールドに設置することからなる請求項４８の方法。
【請求項５０】
前記シリンジを設置することはさらに、
シリンジプッシュロッドを前記充填及び注入装置の電気機械駆動装置と動作可能に接続し、
前記電気機械駆動装置を作動して、前記シリンジプッシュロッドを移動し、前記シリンジに前記バイアルからの放射性薬剤を充填する、
ことからなる請求項４９に記載の方法。
【請求項５１】
さらに、
前記容器を前記充填及び注入装置から取り外した後、
前記シリンジの針を患者に接続されたチューブに接続し、
前記電気機械駆動装置を作動して、前記シリンジプッシュロッドを移動し、前記放射性薬剤を前記シリンジから前記患者に注入する、
ことからなる請求項５０に記載の方法。
【請求項５２】
さらに、
前記シリンジを前記充填及び注入装置から取り外した後、
手動で前記シリンジを作動し、放射性薬剤を患者に注入する、
ことからなる請求項５１に記載の方法。
【請求項５３】
遮蔽されたコードレス注入器アセンブリにおいて、
注入器と、
少なくとも部分的に前記注入器の周囲に配置された放射線シールドと、
前記注入器に接続された駆動装置と、
前記駆動装置に接続されたエネルギー貯蔵装置と、
からなるアセンブリ。
【請求項５４】
前記エネルギー貯蔵装置はバッテリからなる請求項５３に記載のアセンブリ。
【請求項５５】
前記バッテリは、リチウム電池からなる請求項５４に記載のアセンブリ。
【請求項５６】
前記バッテリは、ニッケル電池からなる請求項５４に記載のアセンブリ。
【請求項５７】
前記バッテリは、コンデンサからなる請求項５３に記載のアセンブリ。
【請求項５８】
前記コンデンサは、超コンデンサからなる請求項５７に記載のアセンブリ。
【請求項５９】
前記エネルギー貯蔵装置に結合されたエネルギーコントローラを有する請求項５３に記載のアセンブリ。
【請求項６０】
前記放射線シールドは、タングステン含浸プラスチックからなる請求項５３に記載のアセンブリ。
【請求項６１】
前記注入器内に配置された放射性薬剤を有する請求項５３に記載のアセンブリ。
【請求項６２】
ドッキングステーションを有する請求項５３に記載のアセンブリ。
【請求項６３】
前記遮蔽されたコードレス注入器は第１電気コネクタを有し、前記ドッキングステーションは、前記遮蔽されたコードレス注入器のドック位置で、前記第１電気コネクタと係合する第２電気コネクタを有する請求項６２に記載のアセンブリ。
【請求項６４】
前記ドッキングステーションは独立電源を有する請求項６２に記載のアセンブリ。
【請求項６５】
前記ドッキングステーションは、モバイルスタンド、可動アーム、患者テーブル、画像形成装置、又はこれらの組み合わせに接続されている請求項６２に記載のアセンブリ。
【請求項６６】
自動薬液注入システムにおいて、
シリンジと、
前記シリンジに結合されたシリンジ駆動装置と、
前記シリンジ駆動装置に結合されたコンデンサと、
からなるシステム。
【請求項６７】
前記コンデンサ、又は前記シリンジ駆動装置、又はその両方は、概して非鉄である請求項６６に記載のシステム。
【請求項６８】
前記コンデンサは超コンデンサからなる請求項６６に記載のシステム。
【請求項６９】
前記シリンジ駆動装置はねじ駆動装置からなる請求項６６に記載のシステム。
【請求項７０】
前記シリンジ駆動装置は圧電駆動装置からなる請求項６６に記載のシステム。
【請求項７１】
前記コンデンサに結合されたエネルギー制御装置を有する請求項６６に記載のシステム。
【請求項７２】
前記シリンジの実質的な部分の周囲に配置された放射線遮蔽材、電磁遮蔽材、又はそれらの組み合わせを有する請求項６６に記載のシステム。
【請求項７３】
前記シリンジ駆動装置と前記コンデンサからなる携帯用注入器ユニットと係合する電気及び機械コネクタを有するドッキングステーションを有する請求項６６に記載のシステム。
【請求項７４】
前記ドッキングステーションは、モバイルスタンド、可動アーム、患者テーブル、画像形成装置、又はこれらの組み合わせに連結されている請求項７３に記載のシステム。
【請求項７５】
前記シリンジに配置された放射性薬剤、造影剤、医療流体、又はこれらの組み合わせを有する請求項６６に記載のシステム。
【請求項７６】
医療流体注入器のための操作方法において、
コードレス注入器に電気エネルギーを貯蔵し、
前記コードレス注入器内の放射性材料から周囲を遮蔽し、
前記電気エネルギーで前記放射性材料の流れを駆動する、
ことからなる方法。
【請求項７７】
前記電気エネルギーを貯蔵することは、前記コードレス注入器のバッテリをドッキングステーションを介して充電することからなる請求項７６に記載の方法。
【請求項７８】
前記電気エネルギーを貯蔵することは、前記コードレス注入器のコンデンサを充電することからなる請求項７６に記載の方法。
【請求項７９】
前記周囲を遮蔽することは、タングステン及びプラスチックからなるシールドで周囲を遮蔽することからなる請求項７６に記載の方法。
【請求項８０】
前記放射性材料の流れを駆動することは、放射性材料の流速及び流量を制御することからなる請求項７６に記載の方法。
【請求項８１】
前記放射性材料の対象への注入と関連するイメージデータを検出し、処理し、又は生成することからなる請求項７６に記載の方法。
【発明の詳細な説明】
【技術分野】
【０００１】
この出願は、２００５年５月１６日に出願された放射性薬剤ピッグと称する出願番号６０／６８１３３０号の暫定米国特許出願、２００５年５月１６日に出願された放射性薬剤シリンジ及びピッグの組み合わせと称する出願番号６０／６８１２５４号の暫定米国特許出願、２００５年５月１６日に出願された放射性薬剤充填及び供給システムと称する出願番号６０／６８１２５４号の暫定米国特許出願の利益を請求する。
【０００２】
本発明は、自動医療流体注入器に関し、より詳しくは放射線遮蔽及び/又はエネルギー貯蔵装置のような特徴を有する自動注入器に関する。
【背景技術】
【０００３】
この項は、以下に説明する本発明の種々の特徴に関係する技術を読者に紹介することを意図している。この議論は、本発明の種々の特徴をより良く理解してもらうために、読者に背景情報を提供する助けとなるものと信じる。したがって、これらの説明はこの点に照らして読まれるべきであり、従来技術の入門としてではないと理解すべきである。
【０００４】
治療提供者は、現場でシリンジに放射性薬剤を充填することにおける問題に遭遇する。シリンジドローアップ（draw-up）及びキャリブレーション中の技師による放射線シールドの適切な使用は、挑戦の連続（continuous challenge）である。技師に対する放射線シリンジシールドは、重くて使用しにくく、シリンジに引き込まれる際に放射性薬剤の視野を妨げる。ある状況では、シリンジ放射線シールドの使用は放射性薬剤の取扱いを妨げ、ドローアップ及びドーズキャリブレーションに費やされる時間が増加する。
【０００５】
自動注入器は、医療機関において、患者に流体を注入するのに使用される。例えば、放射性薬剤は、治療及び診断中に自動注入器を使用して患者に注入される。同様に、自動注入器は患者に造影剤又は標識薬を注入する。典型的には、自動注入器はシリンジと該シリンジを駆動する電気モータとを含む。一般的には、電気モータは、電源コードを介して電力を引き込む。残念ながら、電源コードは自動注入器の移動を妨げるので、潜在的に自動注入器の使用を不便にしている。
【発明の開示】
【０００６】
請求の範囲の発明と対応する特徴を以下に説明する。これらの特徴は本発明がとりうる形態の概要を読者に与えるためにのみ提供され、本発明の範囲を制限する意図はない。実際に、本発明は以下に説明する種々の特徴を包含するものである。
【０００７】
本発明の第１の局面は、容器からの放射性薬剤の所望の（例えば正確な）単位投与量の引き上げを向上する放射性薬剤ピッグに関する。放射性薬剤ピッグは、ピッグに収容された容器の放射性薬剤のリアルタイムの放射能レベルを電子的に表示する。したがって、同一の放射性薬剤のいくつかの容器の在庫があれば、臨床医は、ピッグのディスプレイを見るだけで、迅速にどの容器が最も古く、どの容器を最初に使用すべきかを決定することができる。
【０００８】
本発明のいくつかの放射性薬剤ピッグは、臨床医による正確な単位投与量の決定を単純化し、臨床医がチャートや集計表を調べたり、コンピュータプログラムを使用する必要性を低減する。本発明のいくつかの放射性薬剤ピッグは、臨床医が入力した所望の処方投与量に応じて正確な単位投与量を電子的に計算し表示する。本発明のある特徴は、容器から放射性薬剤をシリンジに手動で吸引するのに特に有利である。
【０００９】
本発明の第２の局面は、（例えば、患者に放射性薬剤を注入中に）人が放射性薬剤からの放射線に曝露されるのを潜在的に減少する放射性薬剤シリンジとピッグの組合せを提供することであると言える。この局面の放射性薬剤シリンジとピッグの組合せは、放射性薬剤の自動又は手動注入の一方又は両方の間に、人を放射線から潜在的に防護する。したがって、この局面の放射性薬剤シリンジとピッグの組合せの少なくともいくつかは、放射性薬剤の遅く長い注入期間中に、放射線から防護するのに特に有利である。
【００１０】
第３の局面では、本発明は放射性薬剤を保持し注入する装置に向けられている。この装置はピッグ、ピッグカバー、シリンジを含む。ピッグは、１又はそれ以上の適切な放射線遮蔽材料（例えば、鉛、タングステン、タングステン含浸プラスチック等）を含む本体を有する。このピッグの本体は、シリンジの少なくとも１部を収容するように形成された容器を有する。さらに、この本体は概略的に、一端に形成された出口開口を含む。この装置のカバーは、本体に開放可能に取り付けられ、ユーザが所望により本体の一端の出口開口を覆い又は開放することができるように設計されている。この装置は、本体の内側のシリンジを支持するように設計されている。これにより、シリンジは、患者に（シリンジから）放射性薬剤を注入中に、装置の本体の内側に残留する。
【００１１】
第４の局面に関して、本発明は、（例えば、実質的に低コスト及び/又は放射線曝露の実質的に低リスクで）シリンジが治療提供者により現場で有効に充填される放射性薬剤充填及び供給システムを提供する。ある程度、本発明の充填及び供給システムは、シリンジの充填と放射性薬剤の患者への注入の一方又は両方の間に、放射線曝露の危険性を低減する傾向がある。ある程度、本発明の充填及び供給システムは、放射性薬剤の自動と手動の一方又は両方の間に、放射線曝露の危険性を低減する。したがって、本発明の充填及び供給システムのいくつかの実施形態は、放射性薬剤の遅く長い注入中に、放射線から防護するのに特に有利である。
【００１２】
第５の局面では、本発明は放射性薬剤を収容するバイアルからシリンジを充填する装置に向けられている。この装置は、概略的に、ベース、キャップ、及びベースの開口の領域を除いて放射性薬剤を収容するバイアルを実質的に包囲するように適合された放射線シールドを有する容器を含む。この装置はまた、本体と装着構造を有する充填及び注入装置を含む。充填及び注入装置の本体は、概略的に、壁と該壁を貫通して延びる開口を含む。充填及び注入装置の装着構造は、概略的に、シリンジの針を本体の開口に配置して、シリンジを支持するように適合されている。容器と充填及び注入装置は、概略的に、ベースの開口が本体の開口に近接して位置するように本体の壁が容器を受け入れるよう設計されている。この配置により、バイアルの放射性薬剤はシリンジの針と流体的に連通することができる。少なくとも１つの点で、本発明のこの局面は、正確な充填、充填及び注入手順中の放射線曝露の低減を促進する放射性薬剤の自動注入器及び遮蔽システムとして特徴付けられる。
【００１３】
第６の局面に関して、本発明は、放射性薬剤を封止するのを促進する隔壁を有するバイアルからシリンジに放射性薬剤を移動する装置に関する。この装置は充填及び注入装置と容器を有する。容器は、概略的に、容器の開口がバイアルの隔壁に隣接するような方位にバイアルを保持するように設計されている。容器の放射線シールドは、概略的に、隔壁の領域を除き、放射性薬剤を収容するバイアルのほぼ周囲に配置されるように設計されている。この装置の充填及び注入装置は、本体と、シリンジの針を本体の開口に配置してシリンジを支持するように適合された装着構造とを含む。充填及び注入装置の本体は、装置の本体の開口が容器開口の近接するように、容器の少なくとも１部を受け入れる（又は収容する）ように設計されている。さらに、容器と装置は、シリンジの針が隔壁を突き通し、これによりバイアルの放射性薬剤がシリンジと流体的に連通するように、好ましく配置されている。
【００１４】
第７の局面では、本発明は、放射性薬剤を収容するバイアルからシリンジを充填するための装置に向けられている。この装置は、放射性薬剤を収容するバイアルを保持するように適合され、放射線シールドを有する容器を含む。さらに、この装置は、シリンジの針を装置の本体の開口に配置してシリンジを支持するように適合された装着構造を有する充填及び注入装置を含む。装置の本体は、バイアルの少なくとも１部の回りに配置されるように設計され、概略的にバイアルの放射性薬剤がシリンジの針と流体的に連通するように適合されている。この装置の電気機械装置は、シリンジのプッシュロッドを付勢し（例えば、前方に押し、及び/又は引き戻し）、シリンジにバイアルの放射性薬剤を充填するように適合されてもよい。
【００１５】
本発明のさらに第８の局面は、バイアル内の放射性薬剤をシールする隔壁を有するバイアルからシリンジを充填する方法に向けられている。この方法では、バイアルの実質的に大部分を包囲する放射線シールドを有する容器が設けられている。この容器は、少なくとも概略的にバイアルを保持し、バイアルの隔壁を容器開口の近傍に配置するものと言うことができる。シリンジは、シリンジの針が充填及び注入装置の開口に配置するように、充填及び注入装置に配置される。容器は、バイアルの隔壁が充填及び注入装置の開口の上に位置するように、充填及び注入装置の上に配置されてもよい。容器と充填及び注入装置の少なくとも一方は、他方に対して移動し、シリンジの針がバイアルの隔壁を突き通し、バイアルの放射性薬剤をシリンジと流体的に連通させてもよい。
【００１６】
本発明の第９の局面は、遮蔽されたコードレス注入器アセンブリに向けられ、これは、注入器、該注入器の周囲に少なくとも部分的に配置された放射線シールド、注入器に結合された駆動装置、及び駆動装置に結合されたエネルギー貯蔵装置を含む。
【００１７】
また、本発明の第１０の局面は、シリンジ、該シリンジに連結されたシリンジ駆動装置、及び該シリンジ駆動装置に接続されたコンデンサを有する自動注入システムに向けられている。
【００１８】
さらに、本発明の第１１の局面は、電気エネルギーがコードレス注入器に貯蔵され、周囲がコードレス注入器内の放射性材料から遮蔽される方法に向けられている。さらに、放射性材料の流れは電気エネルギーで駆動される。
【００１９】
本発明の種々の局面に関して前述した特徴を有する種々の改良がある。さらなる特徴は同様にこれらの種々の局面に組み込まれてもよい。これらの改良及び追加の特徴は、個別に又は任意に組み合わせて存在してもよい。例えば、図示した実施形態の１つ又は複数に関して以下に説明する種々の特徴は、本発明の前述した局面のいずれかに、単独で又は任意に組み合わせて組み入れてもよい。前述した簡単な概要は、請求の範囲の主題に限定することなく、本発明の局面と事情を読者に習熟させることのみを意図している。
【発明を実施するための最良の形態】
【００２０】
以下、本発明の１又はそれ以上の具体的実施形態を説明する。これらの実施形態の簡潔な説明をするために、実際の実施の全ての特徴はこの明細書では説明しない。実際の実施例を開発する場合、エンジニアリングや設計プロジェクトにおけるように、システム関連及びビジネス関連の制約の遵守というようなある実施例から他の実施例まで異なる開発者の特定の目標を達成するために、多くの実施特有の決定を行わなければならないことを認識すべきである。さらに、そのような開発努力は、複雑で時間の浪費であるが、それにもかかわらず、この開示の利益をうける当業者にとって設計、組立、製造を開始するルーチンであることを認識すべきである。
【００２１】
放射性薬剤容器及び関連ピッグの一つの例示的ライフサイクルが、放射性薬剤ライフシステム１９として、図１に示されている。図１を参照すると、容器２０は供給者設備２４で充填され包装される。供給者設備２４は放射性薬剤が使用される設備４２から離れていてもよいし、離れていなくてもよい。供給者設備２４内で、容器２０は充填ステーション２８で放射性薬剤が充填される。放射性薬剤の品質管理検査が品質管理ステーション３１で行われる。その後、容器２０はピッグ３３に設置される。装荷ピッグ３３は、包装ステーション３６で適切な輸送箱３４に単独で又はバッチで包装され、輸送箱３４は一時的に輸送/受入れ部３８で待ち行列に入れられ、又は保管される。
【００２２】
放射性薬剤容器２０の注文は、種々の発信元、例えば医療施設４２内の購買事務所２５、又は医療施設４２の一部又は医療施設４２から独立した診療室２７から受け取ることができる。さらに、その注文は特定の患者に関連するものであってもよいし、そうでなくてもよい。注文に基づき、輸送箱３４は輸送経路４０に入り、該輸送経路４０により施設４２例えば病院その他の医療機関に配達される。図１の例では、施設４２は病院であり、放射性薬剤が充填された容器２０を収容するピッグ３３の箱３４を受け入れる輸送/受入領域４４を有している。まれに（常にではないが）、箱３４は病院４２内の核医療部２９に保管され、そこには概略的に放射性薬局４８及び/又は治療室２６がある。要求により、容器２０がピッグ３３から取り出される。放射線量キャリブレーション処理４９では、患者５２に注入する準備のために放射性薬剤が容器２０からシリンジ６９に吸引される。
【００２３】
シリンジ６９に吸引する放射性薬剤の正確な単位投与量（unit dose volume）は、一般に治療が行われる時間における放射性薬剤の放射される放射能レベルを知る必要がある。この決定を行うために、シリンジが充填された時の放射能レベル、充填日時、放射治療日時、及び放射性薬剤の放射能の崩壊率のような情報を知ることが一般に有利である。治療時に放射される放射能レベルと放射性薬剤の処方投与量を使用して、正確な単位投与量を決定することができる。このように、前に述べたように、正確な単位投与量の決定は、現在利用可能なツールを考えると、臨床医にとって困難で、時間を浪費する。
【００２４】
ここに説明する実施形態の充填ステーション２８、品質管理検査ステーション３１では、容器の廃棄とピッグの洗浄が病院４２から離れた供給者施設２４で行われる。他の実施形態では、１又は複数のこれらの処理は、病院の内外の放射性薬局又は他の場所で行われる。
【００２５】
図２は、放射性薬剤の正確な単位投与量を簡単に決定するために臨床医により使用することができる放射性薬剤ピッグ３３を示す。放射性薬剤を収容する容器を保持するピッグ３３は、本体１０１と、該本体１０１に公知の方法（例えばバヨネット型相互接続）で固定される蓋１０３とを有する。本体１０１と蓋１０３は任意のピッグ設計、形状、構造を有していてもよく、図示されたものに限定されない。換言すれば、本発明の原理は、１又は複数の放射線遮蔽剤を有し、公知のシリンジ又はバイアルを保持するのに使用される放射線シールド材を含む任意の放射性薬剤ピッグに適用することができる。
【００２６】
蓋１０３は、蓋上面１０５に装着されたディスプレイスクリーン１０７、アップスイッチ１０９及びダウンスイッチ１１１を有するピッグコンピュータ２７８を有する。図３を参照すると、ピッグコンピュータ２７８のディスプレイスクリーン１０７、アップスイッチ１０９、ダウンスイッチ１１１はデジタルプロセッサ１１３に電気的に接続され、該デジタルプロセッサ１１３はスイッチ１０９，１１３、ディスプレイスクリーン１０７とともに基板１１５に装着されている。基板１１５は、表面１０５と反対側の内面（不図示）に留め具、接着剤、その他の手段により取り付けられている。ピッグ３３の種々の実施形態では、ディスプレイスクリーン１０７、アップスイッチ１０９、ダウンスイッチ１１１及び/又はデジタルプロセッサ１１３を他の適当な位置と配置にすることができる。
【００２７】
図１を参照すると、供給者施設２４内に、放射性薬剤処方の調剤部として、コンピュータプロセッサ１１３は、例えば１又は複数の放射性薬剤の識別と崩壊率、放射性薬剤の測定放射能レベル、測定の日時、患者名、放射治療日時、放射性薬剤の処方投与量等のデータを用いてプログラムを組んでもよい。データはメモリ１１４内に記憶してもよいし、有線又は無線の通信リンク１１７を介してデジタルプロセッサ１１３に入力することができる。さらに、データは１回で又は多数回（例えば放射性薬剤処方の調剤中）で手動又は自動的にピッグコンピュータプロセッサ１１３に入力してもよい。
【００２８】
充填時の放射能レベルと放射能崩壊率を知ることにより、ピッグコンピュータプロセッサ１１３は、ピッグ３３内の放射性薬剤の放射能レベルを自動的に（例えばほぼリアルタイムで）更新するように設計されている。ピッグ３３のいくつかの実施形態では、内部の放射性薬剤の現在放射能レベルが、ディスプレイスクリーン１０７内の第１数値表示部１１９に適当な単位（例えばmCi/mL）で現在放射能レベルを示す数値で表示される。これにより、ピッグ３３が保管され輸送されている時間の間、ピッグコンピュータプロセッサ１１３は表示部１１９に表示される数値を連続的に変更して、容器２０内の放射性薬剤の放射能レベルをほぼリアルタイムで反映することができる。幾つかの実施形態のピッグコンピュータプロセッサ１１３は、（ディスプレイスクリーン１０７内の第２数値表示部１２１に）記憶された放射性薬剤の処方投与量を表示することもできる。リアルタイムの放射能レベルと処方投与量を知ることで、この実施形態のデジタルプロセッサ１１３は、（例えば臨床医によりシリンジに吸引し、ピッグに既に予め充填されているシリンジから注出する）放射性薬剤の正確な単位投与量を示す数値を（ディスプレイスクリーン１０７の第３数値表示部１２３に）表示することができる。
【００２９】
放射性薬剤を患者５２に注入する直前に、臨床医はプログラムされた放射性薬剤の処方投与量を示す第２数値表示部１２１を見る。処方投与量が臨床医が望む処方投与量と一致していれば、臨床医は第３数値表示部１２３ｂを読んで、放射性薬剤の正確な単位投与量を決定する。処方が注文されてから処方投与量が変更されると、臨床医はアップスイッチ１０９及び/又はダウンスイッチ１１１を操作して、第２数値表示部１２１の数値を変更し、新たな処方投与量に一致させることができる。
【００３０】
治療の日時が処方が注文された時点でスケジュールされた日時から変更されているから、処方投与量を変更することが望まれる。この場合、放射性薬剤の処方投与量（例えば注入量）は、放射性薬剤の現在放射性レベルに基づいて治療する直前に計算してもよい。病院４２の放射性薬局４８内で、放射性薬剤の放射能レベル、崩壊率、及び/又は処方投与量の新たな数値は、例えばキャリブレーションツール内のコンピュータを使用して、手動又は自動でスイッチ１０９，１１１又は通信リンク１１７を介してピッグコンピュータプロセッサ１１３に入力されてもよい。
【００３１】
使用後、容器２０は、ピッグ３３に再び設置され、供給者施設２４に戻される。後処理ステーション５１で、放射性薬剤容器２０は廃棄され、ピッグ３３は再使用のために（例えば公知の方法で）洗浄されてもよい。
【００３２】
図４を参照すると、あるタイプの入/出力装置を備えたマイクロプロセッサを有するピッグのさらなる実施形態が示されている。ピッグ３３ａは放射性薬剤を収容するバイアルを保持し、保管し、及び/又は輸送するように設計されている。ピッグ３３ｂは放射性薬剤を収容するシリンジを保持し、保管し、及び/又は輸送するように設計されている。ピッグ３３ａ，３３ｂはそれぞれの本体１０１ａ，１０１ｂと、それぞれの蓋１０３ａ，１０３ｂを有し、蓋１０３ａ，１０３ｂは放射性薬剤バイアル又はシリンジの脱着のための公知の方法で本体１０１ａ，１０１ｂから取り外し可能である。
【００３３】
ピッグ３３ａ，３３ｂはそれぞれのピッグコンピュータ２７８ａ，２７８ｂを有する。ピッグコンピュータ２７８ａ，２７８ｂは、それぞれの入/出力（Ｉ/Ｏ）装置２８０ａ，２８０ｂ、例えば入力スイッチ２８２ａ，２８２ｂと出力スイッチ２８４ａ，２８４ｂを有する。入力スイッチ２８２ａ，２８２ｂと出力スイッチ２８４ａ，２８４ｂは、図３に示すものと類似の回路のピッグコンピュータプロセッサに接続されている。ピッグコンピュータ２７８ａ，２７８ｂは、図２と３のピッグコンピュータ２７８ついて説明した機能にほぼ類似する機能を提供するために使用してもよい。図４Ａを参照すると、各ピッグ３３ａ，３３ｂは底面２８６ａ，２８６ｂにそれぞれの電気コネクタ２８８を有する。電気コネクタ２８８は、ベースユニット２９１の上面２９０に装着された電気コネクタ２８９に機械的に接続されて電気通信を行う。電気コネクタ２８９は制御装置２９２のコンピュータにケーブルのようなワイヤ接続２９３を介して電気的に接続されている。したがって、ピッグ３３ａ，３３ｂのいずれかがベースユニット２９１に装着されて電気コネクタ２８８，２９８と機械的に接続すると、それぞれのピッグコンピュータ２７８ａ，２７８ｂは、有線でベースユニット２９１のコンピュータに電気的に接続される。
【００３４】
制御装置２９２は、種々の入力装置２９４例えば入力キー及び/又はスイッチ、出力装置２９５例えばディスプレイスクリーンを有する。制御装置２９２はドーズ（dose）キャリブレータ２９６に電気的に接続されている。ドーズキャリブレータ２９６は、放射線センサ（不図示）を有し、この放射線センサにより制御装置２９２はドーズキャリブレータ内の放射性薬剤の放射能レベルを公知の方法で監視することができる。
【００３５】
ドーズキャリブレータ２９６、制御装置２９２、及びベースユニット２９１は、放射性薬局に配置され、放射性薬剤処方がバイアル又はシリンジに設置されたときに利用される。処方投与量は制御装置２９２及びドーズキャリブレータ２９６を使用してバイアル又はシリンジに注入される。ラベルがバイアル、シリンジ及び/又はピッグ３３ａ，３３ｂに貼り付けるために準備される。ラベルは、放射性薬剤、バイアル又はシリンジに設置されたときの放射能レベル、予測投与量、患者名等の１又は複数のデータを特定する。このようなデータは重要であるが、実際の使用時間はラベルが準備される時点では分からない。
【００３６】
しかしながら、図３，４の実施形態では、ドーズキャリブレータ２９６、制御装置２９２、ベースユニット２９１、ピッグプロセッサ１１３及び入出力装置２８４ａ，２８４ｂ，２８６ａ，２８６ｂは、取扱者、技術者、又は介護者に放射性薬剤の投与量に関するより正確な多量の情報を提供することができる。この実施例では、制御装置２９２は、バイアル３３ａ又はシリンジ３３ｂに設けられたピッグコンピュータプロセッサ１１３に、放射性薬剤、同位体タイプ、バイアル又はシリンジに設置されたときの放射性薬剤放射能レベル、患者名等に関するデータを転送する。また、ピッグコンピュータプロセッサ１１３は、処方がバイアル３３ａ又はシリンジ３３ｂに保管されていた時間を計算し、それぞれの出力装置２８４ａ，２８４ｂに供給する。他のデータ、例えば現在のリアルタイム放射能レベル、現在の推奨投与量等の他のデータを決定し、表示することもできる。入力装置２８２ａ，２８２ｂは記憶データを取り出し、新データを入力するのに使用することができ、ディスプレイスクリーン１０７はデータを臨床医に表示するのに使用してもよい。例えば、スイッチ１０９，１１１を保持し、同時に一定時間押すことで、ピッグコンピュータプロセッサ１１３は、容器内の放射性薬剤の識別を表す出力をディスプレイスクリーン１０７に与えるようにプログラムすることができる。他の用途では、スイッチ１０９，１１１は、公知の方法で、異なる表示オプションを提供するのに使用してもよい。例えば、ディスプレイスクリーン１０７は、エネルギー節約のために一定時間後にオフするようにプログラムしてもよいし、スイッチ１０９，１１１のいずれかを保持して一定時間押し下げることで電源を入れることもできる。他のディスプレイオプションを提供するために他のスイッチを追加することができる。例えば、デジタルプロセッサ１１３の動作をリセットするために、リセットスイッチ１２５を使用することができる。
【００３７】
ここに説明した種々の実施形態により、ピッグ３３ａ，３３ｂを取り扱う人は、ピッグを開放しバイアル又はシリンジを物理的に取り扱うことなく、放射性薬剤とその寿命及び放射能レベルに関する最新の情報を得る。これにより、取扱者による放射性薬剤の潜在的な曝露が低減する。さらに、種々の放射性薬剤の在庫が維持され、出力装置２８４ａ，２８４ｂにより、取扱者はよく選択されて使用されることがある古いピッグ３３ａ，３３ｂを容易に決定することができる。
【００３８】
図４の実施形態では、ピッグ３３ａ，３３ｂは電気コネクタ２８８，２８９によりベースユニット２９１に電気的に接続されている。第１の代案の実施形態では、ベースユニット２９１と電気コネクタ２８９は制御装置２９２に機能的に一体化されてもよい。例えば、電気コネクタ２８９は、制御装置２９２に機械的に装着され、及び/又は一体化されてもよい。したがって、コネクタ２８９が制御装置２９２内の印刷回路板又は他の基板に直接搭載されれば、ワイヤ２９３は制御装置２９２の内部に設け、又は排除される。他の実施形態では、電気コネクタ２８８はピッグ蓋１０３ａ，１０３ｂの端面に装着されてもよい。さらなる実施形態では、Ｉ/Ｏ装置２８０ａ，２８０ｂとコネクタ２８８の一方は、ピッグ端面２８６ａ，２８６ｂ又は蓋１０３ａ，１０３ｂの端面のいずれかに一緒に装着されてもよい。さらに他の実施形態では、例えば無線周波数認識装置（ＲＦ−ＩＤ）を使用することで、無線接続を使用することができる。ＲＦ−ＩＤシステムは、タグとして一般に知られているトランスポンダにデータを保有し、データは機械読取手段により読み出すことができる。プログラマブルプロセッサ、関連メモリ、及び少なくとも１つの通信アンテナのチップを有するＲＦ−ＩＤタグ又はトランスポンダは、ピッグ３３ａ，３３ｂに取り付けることができる。ＲＦ−ＩＤチップ及び関連メモリ内のデータは、放射性薬剤及び関連バイアル又はシリンジ及びピッグに関する全ての様式の情報を提供してもよい。
【００３９】
ＲＦ−ＩＤシステムは、コンピュータ又は情報管理システムとのデータ通信手段はもちろん、タグからデータを読み取り、ある用途ではタグにデータを書き込む手段を必要とする。したがって、データは、ある特定の用途の必要性を満足するために、適切な時間と場所で、機械読取り手段により、ＲＦ−ＩＤタグから読み取られ、もし適用可能であればＲＦ−ＩＤタグに書き込まれる。このような機械読取り手段は、ベースユニット２９２と、又は代案として制御装置２９２と関連させることができ、この実施形態ではベースユニット２９１は排除することができる。したがって、ＲＦ−ＩＤシステムは、異なる時間と異なる場所で、データがタグに書き込まれ、データをタグから読み取る多用途性を有する。
【００４０】
放射性薬剤シリンジとピッグの組合せ１３０の例示的なライフサイクルが図５に示されている。放射性薬剤シリンジとピッグの組合せ１３０は、ピッグ１３４により少なくとも概略的に包囲されたシリンジ１３２を含む。放射性薬剤は供給者施設２４でシリンジ１３２に吸引され、包装される。供給者施設２４は、放射性薬剤が使用される施設４２から離れていてもよいし、いなくてもよい。供給者施設２４内では、シリンジ１３２は吸引ステーション２８で放射性薬剤が充填される。ピッグ１３４はこの充填中にシリンジ１３２の回りに設置されてもよいし、されなくてもよい。放射性薬剤の品質管理検査が品質管理ステーション３１で行われる。その後、出口端カバーすなわちキャップ１４０とフランジ端キャップ１５２がシリンジとピッグの組合せ１３０に取り付けられて、図６Ａに示すように完全にキャップされ、シリンジ内の放射性薬剤からの放射線シールドを与えるシリンジとピッグの組合せ１３１として特徴付けられるものを提供する。キャップされたシリンジとピッグの組合せ１３１は、包装ステーション３６で適切な輸送箱３４に単独又はバッチのいずれかで包装され、そして輸送箱３４は輸送/受入れ部３８に一時的に待ち行列に入れられ又は保管される。図１に関して説明したものと同様に、注文に基づき、輸送箱３４は分配経路４０に入り、この分配経路により施設４２に引き渡され、放射性薬局４８及び/又は治療室２６を有する核医療部２９に提供される。
【００４１】
図６Ｂを参照すると、放射性薬剤シリンジとピッグの組合せ１３０はシリンジ１３２とピッグ１３４で形成されている。ピッグ本体１３６は、シリンジバレルすなわち本体１３８の全体又は実質的な部分に装着され、全体的又は部分的に、シリンジ１３２内の放射性薬剤からの放射線に人が曝露されるのを保護する鉛その他の材料で形成されている。ピッグ本体１３６とシリンジ本体１３８は、一つの一体部品又は別個の部品として製造されてもよい。ピッグ本体１３６はシリンジ本体１３８に接着剤や機械的結合により永久的に固着されてもよいし、嵌合して単にシリンジ本体１３８上をスライドさせてもよい。ピッグをシリンジの回りに配置する他の方法も適宜利用することができる。
【００４２】
図６Ｂを参照すると、ピッグ出口端キャップ１４０は、シリンジ出口端１４２上のコネクタ１４４を覆うのに使用されている。コネクタ１４４は配管を受け入れるように大きさと形状が決められている。ピッグ出口端キャップ１４０は、嵌合、ねじ結合、留め具、その他公知の手段により、シリンジ本体１３８の出口端１４２又はピッグ本体１３６の一端１４５の一方又は両方に装着され、それらの間に放射線漏洩を阻止し又は実質的に排除する継目１５３（図６Ａ）を提供している。ピッグ出口端キャップ１４０は、全体的に又は部分的に、人がシリンジ１３２内の放射性薬剤からの放射線に曝露されるのを防止する鉛、タングステン、及び/又は他の任意の材料で形成されている。
【００４３】
シリンジ１３２は、シリンジ本体１３８の中に延びてプランジャ１４８に接続されたプランジャロッド１４６を有する。プランジャロッド１４６は外端１４７を有し、該外端は注入器１５８（図６Ｃ）の内側の並進駆動軸（不図示）と係合する所望の任意のサイズと形状に形成され、注入器駆動軸がプランジャ１４６を押すことができるようになっている。プランジャ１４８は完全に又は部分的に、人がシリンジ１３２内の放射性薬剤からの放射線に曝露されるのを防止する鉛、タングステン、及び/又は他の任意の材料で形成されている。図６Ｂの例示的な実施形態では、プランジャ１４８は放射線シールド層１５０を有する。これにより、ピッグ本体１３８及びプランジャ１４８上の放射線シールド層１５０は、プランジャロッド１４６の近傍で放射線防護を与える。
【００４４】
ピッグ１３４はフランジ付端キャップ１５２を有し、該フランジ付端キャップ１５２は、シリンジ本体１３８の対向端１５５又はピッグ本体１３６の対向端１５７のいずれかに、嵌合、ねじ結合、留め具、その他の公知の手段を介して、取り外し可能に取り付けられ、それらの間に放射線漏洩を阻止し又は実質的に排除する継目１５９（図２Ａ）を提供している。ピッグフランジ付端キャップ１５２は、人がシリンジ１３２内の放射性薬剤からの放射線に曝露されるのを防止する鉛、タングステン、及び/又は他の任意の材料で形成されている。
【００４５】
完全にキャップされたピッグとシリンジの組合せ１３１（図６Ａ）は、手動又は自動注入器のいずれかで、放射性薬剤を注入するのに使用することができる。図６Ｂに示すように、手動注入のためにピッグ端キャップ１４０と１５２が取り外され、完全にキャップが取り外されたピッグとシリンジの組合せ１３５が提供される。配管（又は他の適当な導管）がコネクタ１４４に接続される。臨床医はプランジャロッド１４６を押し下げて、放射性薬剤を注入する。自動注入器を使用するには、端キャップ１４０のみを取り外す。そして、図６Ｃに示すように、フランジ付端キャップ１５２は取り付けたままとし、部分的にキャップされたシリンジとピッグの組合せ１３３を提供する。フランジ付端キャップ１５２は、シリンジとピッグの組合せ１３０が自動注入器１５８に装着できるように設計されている。部分的にキャップされたシリンジとピッグの組合せ１３３と使用するのに適した例示的自動注入器は、本願の譲受人に譲渡された「注入器」と称する米国特許出願公開第２００４/００２４３６１Ａ１号に示され記載されている。米国特許出願公開第２００４/００２４３６１Ａ１号の全体は参照することでここに組み入れる。
【００４６】
手動又は自動注入器のいずれかで使用するとき、ピッグ本体１３８、使用されていればプランジャ層１５０、使用されていればフランジ付端キャップにより提供される放射線シールドの存在により、放射性薬剤を投与する人への放射線曝露を少なくとも概略的に禁止すると言える。シリンジ１３２から放射性薬剤の排出後、端キャップ１４０と１５２が図６Ａに示すように取り付けられ、完全にキャップされたシリンジとピッグの組合せ１３１は供給者施設２４に戻される。後処理ステーション５１では、シリンジは廃棄され、ピッグ１３４と端キャップ１４０，１５２は再使用のために洗浄される。
【００４７】
図７Ａを参照すると、他の実施形態のシリンジピッグの組合せ１３０ａは、ピッグ１６２内に装着されたシリンジ１６０を有する。ピッグ１６２は、鉛、タングステン及び/又は他の放射線シールド材からなる外カバー１６４と、内側ライナー１６６とを有する。この実施形態では、シリンジは第１と第２プランジャ１６３，１６５をそれぞれ有する２段シリンジである。シリンジ１６０は第１出口端１８４を備えた第１キャビティ１６７と、第２出口端１８６を備えた第２キャビティ１６９を有する。チップ１８８は出口端１８４，１８６に取り外し可能に取り付けられている。第１キャビティ１６７は放射性薬剤で満たされ、第２キャビティ１６９は塩水及び/又は他の適当な生体適合性フラッシュ（例えばヘパリン溶液、滅菌水、グルコース溶液等）で満たされている。シリンジ１６０は任意の適宜手段（例えば、シリンジ１６０の外面に対して付勢された格納式グリッパー１７０）でピッグ１６２に固定されている。グリッパーはピッグ１６２の外面に装着された解放ボタン１７２を操作することで解放される。
【００４８】
第１プランジャ１６３は、トリダル形状（torroidally）に形成され、外側第１キャビティ１６７を形成する円筒壁と接触している。また、第２プランジャ１６５は、内側第２キャビティ１６９を形成する円筒壁の内側に嵌合し、該円筒壁と接触している。プランジャ１６３，１６５は、完全に又は部分的に、鉛、タングステン及び/又は他の放射線シールド材で形成されている。図７Ａの例示的実施形態では、プランジャ１６３は全体的に放射線シールド材で形成される一方、プランジャ１６５は放射線シールド材からなる外向き層１７１を有している。さらに、図７Ａの例示的実施形態では、ピッグ１６２は標準サイズ（例えば１２５ミリリットルシリンジ）のシリンジに対応するようにサイズと形状が定められ、シリンジとピッグの組合せ１３０ａが注入器に装着されるようにするフランジ１８２を有している。二重キャビティ又は２段シリンジ１６０を操作するのに適した手動又は自動注入器の例は、本願の譲受人に譲渡され、２００５年６月３０日に出願され、「二重チャンバシリンジ」と称する米国暫定出願第６０/６９５４６７号に示され、記載されている。この米国暫定出願第６０/６９５４６７号の内容は参照することでここに組み入れる。
【００４９】
端カバー１７６が、ピッグ端面１７８にピッグ出口開口１８０を覆うように装着されてもよい。カバー１７６は鉛、タングステン及び/又は放射性薬剤からの放射線を遮蔽するその他の材料で形成されてもよい。カバー１７６は、表面１７８上をスライドし又は嵌合し、開口１８０を覆うか覆わないかを選択的に行えるように設計することができる。代案として、カバー１７６は、表面１７８に回動可能に装着して、ユーザが所望により開口１８０を覆うか覆わないかを選択的に行えるようにすることができる。さらなる代案として、カバー１７６は、取り外し可能な固着具（fastener）で端面１７８に固定し、これによりユーザが所望により開口１８０を覆うか覆わないかを選択的に行えるようにすることができる。付随的に、前述した種々の可能性の組み合わせはもちろん、覆うか覆わないかの特徴を提供する他の方法も意図されている。
【００５０】
図７Ｂに示すように、ピッグ１６２は、印刷ラベル１７３を有していてもよい。さらに、ピッグ１６２は、無線周波数識別装置（ＲＦ−ＩＤ）１７５を有し、これはラベル１７３の一部であってもよいし、独立していてもよい。放射性薬剤、シリンジ１８０及びピッグ１６２に関するデータは、これらの要素のライフサイクルの全ての段階でＲＦ−ＩＤから読み取り、及び/又はＲＦ−ＩＤに書き込むことができる。さらに、ピッグ１６２は、外面１７４に装着されたディスプレイスクリーン１７９及び/又はスイッチのような入力装置１８１を含むユーザインターフェース１７７を有していてもよい。ディスプレイスクリーン１７９及び/又はスイッチ１８１は、メモリを有するデジタルプロセッサ（不図示）に接続されてもよい。デジタルプロセッサは、放射性薬剤、その放射能レベル等に関するデータを記憶するのに使用するメモリを有する。
【００５１】
患者に放射性薬剤を注入する間に、ピッグ１６２と、もしあればプランジャ層１７１とにより与えられる放射線シールドが連続的に存在することは、シリンジとピッグの組合せ１３０ａを取り扱い、放射性薬剤を投与する人への放射線曝露を少なくとも概略的に禁止するものと言うことができる。
【００５２】
図７Ｃに示す代案の実施形態では、シリンジ１６０は、ピッグ１６２の内側でシリンジ１６０に嵌合する環状（又は他の適切に設計された）突起１６８により、ピッグ１６２内に固定することができる。さらなる実施形態では、放射性薬剤の放射能レベルに依存して、プランジャの放射線遮蔽防護を排除してもよい。さらに、放射性薬剤の放射能レベルに応じて、フランジ付端キャップ１５２は放射線遮蔽防護をしない材料で形成してもよい。
【００５３】
例示的なマルチ投与（multi-dose）放射性薬剤充填及び供給システム２００の種々の要素が図８に示されている。この充填及び供給システム２００は治療提供者の場所で使用するのに適している。充填及び供給システム２００は、大略、遮蔽された放射性薬剤容器２０６と、充填及び注入装置２２０とを有する。付随的に、容器２０６の放射線遮蔽は、適切な遮蔽材料（例えば、鉛、タングステンプラスチック、及び/又はタングステン）であってもよい。以下に説明するように、シリンジを充填及び注入装置２２０に配置した後、放射性薬剤容器２０６を図１１に示すように充填及び注入装置２２０の上部に装着してもよい。そして、充填及び注入装置２２０を操作して、処方単位投与量の放射性薬剤を有するシリンジの自動注入として特徴付けられるものを提供する。ある実施形態の自動充填工程は、公知のシステムより、迅速、正確及び/又は曝露の危険性が少ないことを特徴としてもよい。その後、容器２０６は装置２２０から位置を変え、充填及び注入装置２２０を操作して、患者への放射性薬剤の自動注入を行う。代案として、シリンジは充填及び注入装置２２０から取り外され、患者に放射性薬剤を自動的に注入するのに使用される。
【００５４】
治療提供者はマルチ投与バイアル２０２（図８）の放射性薬剤を薬局から購入し、バイアル２０２を輸送ピッグから取り外し、容器２０６のバイアルホルダ２０４の内側に設置する。バイアルホルダ２０４を容器ベース２１０に固定し、容器キャップ２０８を容器ベース２１０に固定する。図９に示すように、ねじ付プラグ２１６をキャップ２０８の内側に装着し、ねじ付プラグ２１６をホルダ２０４に螺合することにより、キャップ２０８をベース２１０に強固に固定する。キャップ２０８とベース２１０の間の機械的接続はクイックターンねじ（例えば、高リード角螺旋ねじ、バヨネット型ねじ等）のような適宜の相互接続手段であってもよい。バイアルホルダ２０８とプラグ２１６は、バイアル２０２内の放射性薬剤から放射線を遮蔽することができる適当な放射線遮蔽材（例えば、鉛、タングステンプラスチック、及び/又はタングステン）を有していてもよい。
【００５５】
容器２０６は、放射線薬剤バイアル２０２の回りの放射線防護を与える間に、少なくとも概略的にバイアル２０２を都合よく取扱い運ぶことができる。付随的に、放射線薬剤が配置され「ライブ」又は「ホット」の開口を有する装置を取り扱うのに、核医療部職員が使用され、このため開口２１８は新しい取扱い規律を示すものでない。開口２０８を覆うために、容器２０６は適切な放射線遮蔽材を含むベースサポート又はコースター２１２に設置される。コースター２１２に設置すると、容器２０６内の放射性薬剤は実質的に遮蔽される。容器２０６、キャップ２０８、及び/又はコースター２１２は、異なる放射性薬剤又は他の所定の表示を迅速に視覚的に認識することができるように、パターン化され、ラベルが付され、及び/又はカラーコード化することができる。
【００５６】
充填及び供給システム２００はさらに、シリンジ２２２から該シリンジに支持された放射線薬剤の自動充填又は払出しを行う図１０に示す充填及び注入装置２２０を含む。充填及び注入装置２２０に装着される前に、シリンジ２２２はシリンジ放射線シールド２２４に挿入されてもよい。放射線シールド２２４は、該放射線シールド２２４とシリンジ２２２が通常の取扱い中には分離しないが、望むときにはシリンジ２２２をシールド２２４から分離することができるように、シリンジ２２２をシールド２２４に固定するのを少なくとも支援する、１又は複数の内部突起及び/又は他の適当な装置を有していてもよい。放射性シールド２２４は、シリンジ２２２を手動で操作、取扱い、及び/又は使用して放射性薬剤を患者に直接注入する際に、第１レベルの放射線遮蔽を与えるものと言える。シリンジ放射線シールド２２４は、充填及び注入装置２２０内に適切な方位にシリンジ２２２を固定するのを容易にするために、標準化された外形サイズ及び/又は形状を示すようにしてもよい。このため、異なるサイズのシリンジは、共通又は類似の外形サイズ及び/又は形状を有する嵌め合いシリンジシールド（mating syringe shield）を用いて、保持されてもよい。遮蔽されたシリンジホルダ２２４は、タングステン、タングステンプラスチック、鉛及び/又は放射性薬剤からの放射線を遮蔽するその他の材料で形成されてもよい。さらに、遮蔽シリンジホルダ２２４の形状及びサイズは、（例えば、異なる分野の機能性、人間工学、及び/又は遮蔽要求を満たすように）変化させてもよい。
【００５７】
図１０の例示的実施形態では、充填及び注入装置２２０は、所望の位置と方位にシリンジシールド２２４を固定する１対のＵ形弾性クランプ２２８を備えた可動側壁２２６を有している。遮蔽シリンジホルダ２２４をクランプ２２８に適切に配置した後、側壁２２６を充填及び注入装置２２０の本体２３０に対して再配置してもよい。シリンジ針２３４は、スロット２３２（図８）を通って、充填及び注入装置２２０の上壁２４８に移動してもよいし、中央孔２５０に配置してもよい。シリンジ針２３４は、図９に示すように、上壁２４８を通りその上方に延びることが好ましい。
【００５８】
図１２に示すように、シリンジ２２は、フランジ付端部２３８を備えたプッシュロッド２３６を有していてもよい。フランジ付端部２３８は、充填及び注入装置２２０に収容された自動並進電気機械ドライバ２３９の端部と相互接続されるようにサイズと形状が定められてもよい。電気機械ドライバ２３９は、シリンジドライブ２４３例えば電気モータに接続されたプランジャ駆動ラム２４１を含むように図示されている。シリンジドライバ２４３の動作は、メモリ２４７を有するマイクロプロセッサ２４５により制御されてもよい。マイクロプロセッサ２４５は、電源インターフェース２４９に接続され、該電源インターフェースは電源２５１に接続されている。マイクロプロセッサ２４５はさらにユーザインターフェース２５４（図８）に接続されてもよい。ユーザインターフェース２５４はディスプレイスクリーン２５６及び/又は入力装置２５８例えばスイッチを含むが、これに限定されない。メモリ２４７は充填及び注入装置２２０の操作に関するデータを記憶するように使用されてもよい。このデータは、充填及び/又は注入動作を制御するプログラム、放射性薬剤に関する情報、他の手順又は非手順情報、患者情報、薬局に戻す情報提供等を含むが、これらに限定されるものではない。遠隔制御装置２５３は薬局、製造者等に情報を提供するのに使用してもよい。ディスプレイスクリーン２５６は、充填及び/又は注入パラメータ、ステータス、インストール要素、放射性薬剤要素、インストラクション、警告等を含むがこれらに限定されないデータを表示する英数字及び/又はグラフィックディスプレイを組み込んでもよい。電源２５１に接続された遠隔制御装置２５３は、オプションとして、充填及び注入装置２２０の遠隔操作のためのユーザインターフェス２５４の代わりに使用されてもよい。
【００５９】
図１２に示すタイプの制御及び電気機械ドライバは、充填及び注入装置２２０で使用するのに適しているが、本願の譲受人に譲渡され、「注入器」と称する米国特許出願公報第２００４/００２４３６１Ａ１号に示され記載されている。米国特許出願公報第２００４/００２４３６１Ａ１号の全体は、参照することでここに組み入れる。
【００６０】
図１１に想像線で示すように、容器２０６はコースター２１２から持ち上げられ、注入及び充填装置２２０の上端２３５に設置されてもよい。図９に示すように、放射能シールド２０４を備えた容器ベース２１０は、空洞２４６に配置されている。容器２０６と充填及び注入装置２２０は、ねじ２４０をねじ２４２と合わせて互いに回転させて螺合することで、結合してもよい。ねじ２４０，２４２の螺合により容器２０６は充填及び注入装置２２０と並進し、バイアル２０２の下端の隔膜２４４は、上壁開口２５０を通って延びる針２３４によって突き通される。これにより、針２３４は容器２０２内の放射性薬剤２５２と流体的に連通する。容器２０２と充填及び注入装置２２０が互いに完全に固定されると、隔膜２４４は上壁２４８に近接して配置される。
【００６１】
代案の実施形態では、容器２０６と充填及び注入装置２２０の間の機械的結合は、任意の迅速ターンねじ、迅速結合及び非結合装置であってもよい。他の実施形態では、機械的結合例えばねじ２４０，２４２を排除し、容器２０６を充填及び注入装置２２０の上端２３５に単に設置するようにしてもよい。この実施形態の変形例では、容器２０５と空洞部２４６の壁との間に嵌合があってもよい。
【００６２】
充填及び注入装置２２０は、その側壁と１又は複数の端壁の回りに、タングステン、タングステンプラスチック、鉛及び/又は放射性薬剤からの放射線を防護するその他の材料からなる完全放射線遮蔽を組み込むことが好ましい。さらに、シリンジ２２２を包囲するシリンジ放射線シールド２４４は、放射性薬剤の放射線からの他のレベルの遮蔽を提供する。これにより、シリンジ２２２に放射性薬剤を自動充填する工程と放射性薬剤を自動注入する工程では、充填及び注入装置２２０を取り扱う人は、放射性薬剤の放射線から遮蔽される。放射線漏洩の潜在性は中央孔２５０を通してである。先に述べたように、核医療部職員はそのような「ライブ開口（live opening）」を取り扱う訓練を受けているが、放射線曝露の著しい危険性があってはならない。
【００６３】
図８に示すように、充填及び注入装置２２０は、印刷ラベル２６０を有していてもよい。さらに、充填及び注入装置２２０は、無線周波数認識装置（ＲＦ−ＩＤ）タグ２０２を有していてもよい。この無線周波数認識装置（ＲＦ−ＩＤ）タグ２０２は、ラベル２６０の一部であってもよいし独立していてもよい。図１２に示すように、マイクロプロセッサ２４５は、ＲＦ−ＩＤタグ２６２からデータを読み取り、及び/又はＲＦ−ＩＤタグ２６２にデータを書き込むＲＦ−ＩＤインターフェース２６３を有していてもよい。バイアル２０２はＲＦ−ＩＤタグ２５９を有していてもよいし、及び/又はシリンジ２２２はＲＦ−ＩＤタグ２６１を有していてもよい。１つ又はそれ以上のＲＦ−ＩＤタグ２５９，２６１，２６２からデータを読み取り、及び/又はそれにデータを書き込むために、コンピュータに接続された適切なリード/ライト装置２５５が使用されてもよい。コンピュータ２５７は適切な任意の位置に配置されてもよいし、図示するように充填及び注入装置２２０のユーザの場所（例えば医療施設又は薬局）に配置されてもよい。このように、放射性薬剤、シリンジ２２２，容器２０６及び/又は充填及び注入動作に関するデータは、（望まれるなら）充填及び注入装置２２０の事実上全ての動作について、ＲＦ−ＩＤタグ２６２から読み取り、及び/又はＲＦ−ＩＤタグ２６２に書き込むことができる。そのようなデータは、充填及び注入装置２２０のマイクロプロセッサ２４５に利用できる。さらに、
１つ又はそれ以上のＲＦ−ＩＤタグ２５９，２６０，２６２に書き込まれ、及び/又はそれから読み取られたデータは、遠隔コンピュータを含む他のコンピュータに（当業者に公知の）適切な方法で（例えばコンピュータ２５７を介して）伝達されてもよい。
【００６４】
これにより、特定の放射性薬剤を利用することを決定すると、バイアルのラベルからのデータは、（例えばユーザインターフェース２５４を介して）手動及び（例えばリード/ライト装置２５５と１又はそれ以上のＲＦ−ＩＤタグ２５９，２６２を使用して）自動の一方又は両方で、マイクロプロセッサメモリ２４７に読み込まれてもよい。データはリード/ライト装置２５５を使用して、シリンジＲＦ−ＩＤタグ２６１に読み込まれてもよい。このようなデータは、以下のものを含むが、これに限るものではない。
【００６５】
−処方データ
【００６６】
−放射性薬剤、そのブランド、供給者等
【００６７】
−薬局により測定された放射能レベル
【００６８】
−放射能崩壊率
【００６９】
−キャリブレーション日時
【００７０】
−バイアル使用履歴
【００７１】
−予測残容量
【００７２】
−満了データ（expiration data）
【００７３】
ユーザは、ユーザインターフェース２５４を操作してこのデータの一部を表示のために選択することができる。これにより、充填操作の前に、充填及び注入装置２２０の制御は以下のものを含むがこれに限るものではないデータを自動的に又は選択的にチェックするようにプログラムすることができる。
【００７４】
−満了日時の有効性（efficacy of the expiration date and time）
【００７５】
−リコール情報
【００７６】
−シリンジの再使用を防止するためにシリンジの設置及取り外し情報
【００７７】
−バイアル使用前及びバイアルが今適切に使用することができるか否か
【００７８】
−バイアルの予測残容量をチェックすることによる充填プログラムの有効性
【００７９】
−薬局測定放射能レベル、崩壊率データ、キャリブレーション日時、処方投与量及び注入日時に基づく推奨充填容量の計算と表示
【００８０】
−放射性薬剤供給者からの製品プロモーション
【００８１】
−薬剤包装挿入情報
【００８２】
ユーザインターフェース２５４を用いて手動でプログラムされ、及び/又はマイクロプロセッサ２４５により少なくとも概略的に充填及び注入装置２２０の動作を制御するのに使用するためにＲＦ−ＩＤタグ２６２に（例えばリード/ライト装置２５５を介して）書き込まれるデータは、以下のものを含むが、これらに限定されない。
【００８３】
−各充填の充填容量
【００８４】
−利用履歴から計算されるバイアルの残容量
【００８５】
−各充填の日時
【００８６】
−各充填の放射能レベル
【００８７】
−ユーザにより入力されるその他の情報であって、患者関連情報、装置状態、例えばサービス必要性、利用履歴等を含むが、これらに限定されない。
【００８８】
充填/注入装置２２０は、シリンジ充填工程において、一貫して、非常に高精度でシリンジに正確な単位投与量を充填することができる。これにより、時間を浪費する反復の多い投与量調節の手動工程を排除することができ、及び/又は放射線に曝露されるユーザの危険性を低減することができる。したがって、無駄が多くコストのかかるシリンジの過剰充填が低減され、排除もされ、及び/又は治療提供者は薬局が提供したバイアルを最も有効に使用することができる。
【００８９】
充填及び注入装置２２０は、自動注入中に発生する背圧を監視し、異常な高圧又は低圧を生じる注入を停止し、又は終了してもよい。低圧は空シリンジ又は漏れを示し、高圧は閉塞又は管外遊出の可能性を示す。
【００９０】
充填及び注入装置２２０が治療提供者の代わりに薬局により使用され単位投与量シリンジを充填する用途では、ＲＦ−ＩＤタグがシリンジに付けられ、充填及び注入装置は、シリンジＲＦ−ＩＤタグに前述のバイアル及びシリンジの充填情報の幾つか又は全てを書き込むのに使用されてもよい。
【００９１】
図９の例示的実施形態では、シリンジ装着構造２２８は、充填及び注入装置２２０の本体から離れるように回動可能である。代案の実施形態では、シリンジ装着構造は充填及び注入装置から完全に分離していてもよい。さらに、図示し説明した例示的実施形態では、シリンジ２２２は針２３４を有するが、充填及び注入装置２２０は、針を備えていないシリンジに放射性薬剤を充填し、及び/又は排出するのに使用してもよい。このような実施形態では、中間コネクタをバイアルと結合して流体相互接続するのに利用してもよい。中間コネクタの適切な１つの実施例は、一端にバイアルの隔膜を突き通す針を有し、他端にシリンジの針無しノズル（needle-free nozzle）として特徴づけられるものに（例えば適宜ルアー継手を介して）取り付け可能な継手を有していてもよい。さらに、図１２には、充填及び注入装置は、コード付き、又はコードレス（例えばバッテリ給電）であってもよい。
【００９２】
図示し説明した例示的実施形態では、充填及び注入装置２２０は、携帯装置である。しかし、充填及び注入装置２２０は、放射性薬剤の自動注入中に携帯してもよいし、サポートに装着してもよい。サポート装着注入は、アクセサリケーブル又はコンソールを介して、沿革的に開始し、停止し、及び/又は手動開始後に取り外してもよい。
【００９３】
図示した実施形態に関して、容器２０６に対する放射線シールド２０４，２１６はそれぞれキャップ２０８、ベース２１０に装着されるものとして説明した。他の実施形態は、キャップ２０８及び/又はベース２１０に完全に又は部分的に収容される放射線シールドを有していてもよいし、又はキャップ及び/又はベース２１０に別個に取り付け可能な、又は他の適宜の形態を有する別個又は独立した要素であってもよい。
【００９４】
図１３−１５は、例示的なコードレス充填及び注入装置２２０を示す。図１３の実施形態では、コードレス充填及び注入装置２２０は、エネルギー貯蔵装置３０２、ドッキングステーション３００、及び電力コントローラ３０３に特徴を有する。エネルギー貯蔵装置３０２は、以下にさらに説明するように、幾つかの実施形態の充填及び注入装置２２０のコードレス動作を支援することが有利である。エネルギー貯蔵装置３０２は、図１４に示すようなバッテリ３０４、又は図１５に示すようなコンデンサ３０５を有していてもよい。バッテリ３０４は、例えば鉛酸バッテリ、リチウムイオン電池、リチウムイオンポリマー電リ、ニッケルクロム電池、ニッケル水素電池、アルカリ電池を含む。コンデンサ３０５は、電解コンデンサ、タンタルコンデンサ、超コンデンサ、ポリエステルフィルムコンデンサ、ポリプロピレンコンデンサ、ポリスチレンコンデンサ、金属化ポリエステルフィルムコンデンサ、エポキシコンデンサ、セラミックコンデンサ、多層セラミックコンデンサ、銀マイカコンデンサ、調節可能コンデンサ、及び/又は空芯コンデンサを含み、例えば、他の他実施形態では、エネルギー貯蔵装置３０２は、インデューサのような電気エネルギー貯蔵；圧力流体チャンバ、フライホイール又は他の動エネルギー貯蔵装置、スプリング、及び/又は他の弾性部材のような機械エネルギー貯蔵；及び/又は例えば燃料電池のような化学エネルギー貯蔵の他の形態を含む。エネルギー貯蔵装置３０２は、磁気共鳴イメージング（ＭＲＩ）装置の近傍で使用するのに適した実施形態では、部分的又は全体的に非鉄であってもよい。
【００９５】
組み立てる際に、ドッキングステーション３００は、充填及び注入装置２２０とエネルギー貯蔵装置３０２に接続されてもよい。電源コントローラ３０３は部分的又は全体的にマイクロプロセッサ２４５に一体化されてもよいし、又は電源コントローラ３０３はマイクロコントローラ２４５から独立していてもよい。電源コントローラ３０３は電源インターフェース２４５を通してエネルギー貯蔵装置３０２と通信してもよい。電源コントローラ３０３は、エネルギー貯蔵装置３０２から、エネルギー貯蔵レベル、温度、充電率、又はエネルギー放電率のような種々のエネルギー貯蔵パラメータに関する信号を受信してもよい。例えば、コンデンサ３０４を使用する実施形態は、コンデンサが充電し及び/又は放電する率を制限する保護回路を有していてもよく、これにより、他の要素が大電流に曝されるのを制限することができる。保護回路は部分的に又は全体的にある実施形態の電源コントローラ３０３に一体化することができる。
【００９６】
動作中、電源コントローラ３０３は、エネルギー貯蔵装置３０２を監視し制御してもよい。例えば、電源コントローラ３０３は、エネルギー貯蔵装置３０２の充電率及び/又は充電レベルを監視し、及び/又は制御してもよい。同様に、ある実施形態では、電源コントローラ３０３は、エネルギー貯蔵装置３０２の放電率及び/又は放電レベルを監視し、及び/又は制御してもよい。例えば、電源コントローラ３０３は、エネルギー貯蔵装置３０２が所定レベルまで充電されたか否か、例えばほぼ充電され又は放電されたか否かを決定し、そのレベルを示す信号をディスプレイ２５６及び/又はドッキングステーション３００に送信してもよい。
【００９７】
ある実施形態では、電源コントローラ３０３及び/又はマイクロプロセッサ２４５は、エネルギー貯蔵装置３０２が要求された注入又は充填動作に電力を供給するのに十分なエネルギーレベルを有するかどうかを決定してもよい。エネルギー貯蔵装置３０２が動作に電力を供給するのに十分なエネルギーレベルを有していれば、電源コントローラ３０３及び/又はマイクロプロセッサ２４５はその動作を許容してもよい。これに対し、エネルギー貯蔵装置３０２が要求された動作に電力を供給するのに不十分なエネルギーレベルを有していれば、電源コントローラ３０３及び/又はマイクロプロセッサ２４５は、警告信号を例えばディスプレイ２５６に送信し、及び/又は要求された動作が処理されるのを防止してもよい。
【００９８】
メモリ２４７及び/又はエネルギー貯蔵装置３０２内のメモリ、電源コントローラ３０３、又は充填及び注入装置２２０の他の要素は、エネルギー貯蔵装置３０２のライフサイクルを追跡してもよい。例えば、エネルギー貯蔵装置３０２が充電され及び/又は放電された回数をカウントし、メモリに保持してもよい。いくつかの実施形態では、マイクロプロセッサ２４５及び/又は電源コントローラ３０３は、エネルギー貯蔵装置３０２のライフを示す信号をディスプレイ２５６に送信してもよい。例えば、寿命末期警告信号及び/又は充電/放電サイクルカウントはディスプレイ２５６に送信され、表示されてもよい。ある実施形態では、エネルギー貯蔵装置３０２は、例えば製造日、追跡数（tracking number）、充電/放電サイクルカウント、エネルギー貯蔵装置のタイプ、製造識別子（manufacture identifier）、有効期限、及び/又は残記憶容量のようなそのライフサイクルを示す情報を記憶するメモリを有していてもよい。さらに、いくつかの実施形態では、エネルギー貯蔵装置３０２は他の装置と通信するＲＦＩＤ回路を有していてもよい。
【００９９】
いくつかの実施形態では、ドッキングステーション３００は、エネルギー貯蔵装置３０２に給電してもよい。代案として、又は付加的に、エネルギー貯蔵装置３０２は、光電装置からのエネルギー、ハンドクランク又はその他の手動給電装置、及び/又は充填及び注入装置２２０に連結されたエネルギースカベンジング装置のような、ドッキングステーション３００以外の電源からエネルギーを授与されてもよい。
【０１００】
図１６は、エネルギー貯蔵装置３０２を有し、ドッキングステーション３００に接続可能な例示的コードレス充填及び注入装置３０６を示す。例示的コードレス充填及び注入装置３０６は、前に説明した充填及び注入装置の特徴を有していてもよい。このコードレス充填及び注入装置は、遮蔽シリンジアセンブリ３０８、遮蔽材３１０、シリンジ駆動装置３１２、ドッキングステーション電気インターフェース３１４、及びドッキングステーション機械インターフェース３１５に特徴を有していてもよい。ドッキングステーション電気インターフェース３１４は複数の鉛３３２，３３３，３３４，３３５を有していてもよい。本実施形態では、シリンジアセンブリ３０８は、シリンジ３１６と遮蔽材３１８を有していてもよい。図示されたシリンジ３１６は、針３２０、バレル３２２、プランジャ３２４、及び外端３２８を有するプランジャロッド３２６を有していてもよい。１又はそれ以上の流体３３０が、シリンジ３１６のバレル３２２内に配置されてもよい。例えば、流体３３０は、放射性薬剤、造影剤、塩水、標識剤、又は他の薬剤を含む。いくつかの実施形態では、シリンジ３１６は、１段シリンジ、各段に異なる流体を備えた２段シリンジ、多バレルシリンジ、又は２段以上２流体以上を有するシリンジであってもよい。
【０１０１】
遮蔽材３１０，３１８は電磁シールド、放射線シールド、熱シールド、又はこれらの組合せを含んでいてもよい。いくつかの実施形態では、遮蔽材３１０，３１８は、鉛、減損ウラニウム、タングステン、タングステン含浸プラスチック等のような放射線シールド材からなる特徴を有していてもよい。代案として、又は付加的に、遮蔽材３１０，３１８は、銅、鋼、導電性プラスチック、又は他の導電性材料の層、メッシュ、その他の形態のような電磁シールド材を含んでいてもよい。ある実施形態では、遮蔽材３１０，３１８は、部分的に又は全体的に非鉄である。遮蔽材３１０は、シリンジ３１６、シリンジ駆動装置３１２、及び/又はエネルギー貯蔵装置３０２を完全に包囲してもよいし、１又は複数のこれらの要素３１６，３１２．３０２をほぼ包囲し、又は１又は複数のこれらの要素３１６，３１２．３０２を部分的に包囲してもよい。同様に、遮蔽材３１８は、完全に、実質的に、又は部分的にシリンジ３１６を包囲してもよい。また、幾つかの実施形態は遮蔽材３１０及び/又は３１８を含まなくてもよいことに注意すべきである。これは、ここで説明した他の特徴を省略しなくてもよいことを提案しているのではない。
【０１０２】
シリンジ駆動装置３１２は、圧電駆動、リニアモータ、形状記憶合金、ラックアンドピニオンシステム、ウォームギヤアンドホイールアセンブリ、遊星ギヤアセンブリ、ベルト駆動、マニュアル駆動及び/又は空気圧駆動を含んでいてもよい。例えば、図１８の実施形態では、以下に説明するように、シリンジ駆動装置３１２は、電気モータとねじ駆動装置を含んでいてもよい。いくつかの実施形態では、シリンジ駆動装置３１２は、完全に、実質的に、部分的に非鉄であってもよい。
【０１０３】
ドッキングステーション３００は、相補電気インターフェース３３６、相補機械インターフェース３３８及び電源ケーブル３４０を有していてもよい。相補電気インターフェース３３６は、複数の雌コネクタ３４２，３４３，３４４，３４５を有していてもよい。電源ケーブル３４０は、壁コンセントから電力を受け入れるように適合され、ドッキングステーション３００は、変圧器、整流器、及びローパス電源フィルタのような電力調整回路を有していてもよい。いくつかの実施形態では、ドッキングステーションは、雌コネクタ３４２，３４３，３４４，３４５を介して壁コンセントＡＣ電源及び出力ＡＣ電源を受け入れるように形成されてもよい。ある実施形態では、ドッキングステーション３００は、バッテリ又は発電機のような独立電源を含んでいてもよい。例えば、発電機は、太陽電池、ガスエンジン駆動発電機、発電機に連結された機械クランク等のような独立電源を含む。さらに、ドッキングステーション３００は、可動スタンド、回動可能アーム、車、画像形成装置、患者テーブル、壁マウント又は他の適切なマウントに装着されてもよい。
【０１０４】
動作中、コードレス充填及び注入装置３０６は、ドッキングステーション３００と係合してもよい。詳しくは、ドッキングステーション機械ステーション３１５は、相補機械インターフェース３３８と係合し、ドッキングステーション電気インターフェース３１４は相補電気インターフェース３３６と係合してもよい。電流は電源ケーブル３４０を流れ、雌コネクタ３４２，３４３，３４４，３４５を介して雄コネクタ３３２，３４３，３４４３４５に流れる。電流はエネルギー貯蔵装置３０２に流れてもよい。いくつかの実施形態では、エネルギー貯蔵装置３０２はシリンジ３１６が充填されている間に充電されてもよい。例えば、エネルギー貯蔵装置３０２が充電されている間に、シリンジ駆動装置３１２は力３３１を加え、プランジャ３２４をバレル３２２内で下方に移動させ、これにより流体をバレル３２２に引き込む。充填中、現場（in situ）又は実験施設内（ex situ）でのフィードフォワード又はフィードバック制御が充填率及び/又は充填量にわたって行われる。
【０１０５】
エネルギー貯蔵装置３０２が充電又は給電されると、コードレス充填及び注入装置３０６は、ドッキングステーション３００から取り外され、手順の邪魔になる電源ケーブル無しに、放射性薬剤３３０、標識剤又は他の物資を注入するのに使用されてもよい。注入はコードレス充填及び注入装置３０６が充填され充電される場所と同じ場所で実行されてもよいし、又はコードレス充填及び注入装置３０６は他の場所で使用するために充電及び充填状態で輸送されてもよい。注入中、エネルギーは、エネルギー貯蔵装置３０２からシリンジ駆動装置３１２に流れ、該シリンジ駆動装置３１２は力３３１をプッシュロッド３２６の外端３２８に加えてもよい。プランジャロッド３２６は、バレル３３２を介してプランジャ３２４を駆動し、流体３３０を注入してもよい。注入中、現場（in situ）又は実験施設内（ex situ）でのフィードフォワード又はフィードバック制御が充填率及び/又は充填量にわたって行われる。
【０１０６】
図１７は、二重シリンジ３４８を有する例示的コードレス充填及び注入装置を示す。このコードレス充填及び注入装置３４８は、第２シリンジ３５０と第２シリンジ駆動装置３５２を有していてもよい。第２シリンジ３５０は、遮蔽されて、流体３５４を有する。流体３５４は、前にリストアップした流体３３０を１つ又は複数であってもよい。この実施形態では、第２シリンジ３５０は遮蔽材３１０内にあってもよいが、他の実施形態では、第２シリンジは遮蔽材３１０の外側の一部又は全体であってもよい。さらに、二重シリンジ３４８は互いに独立していてもよいし、一体又は結合した多バレルシリンジであってもよい。
【０１０７】
動作中、シリンジ駆動装置３５２は、力３５４を第２シリンジ３５０に加え、流体３５４を第２シリンジ３５０の外側又は第２シリンジの内側に駆動する。いくつかの実施形態では、シリンジ駆動装置３１２と第２シリンジ駆動装置３５２は、部分的に又は全体的に単シリンジ駆動装置に一体化されてもよい。代案として、シリンジ駆動装置３１２と第２シリンジ駆動装置３５２は、独立したシリンジ駆動装置であってもよい。注入及び/又は充填中、現場（in situ）又は実験施設内（ex situ）でのフィードフォワード又はフィードバック制御が、コードレス充填及び注入装置３４８により注入され又は充填された流体３３０及び/又は３５４の流量及び/又は容量にわたって行われる。
【０１０８】
図１８は、コードレス充填及び注入装置３０６内の例示的シリンジ駆動装置３１２を示す。図示されたシリンジ駆動装置３１２は、電気モータ３５６、トランスミッション３５６及び線形駆動装置３６０を含んでいてもよい。電気モータ３５６は、ステッピングモータのようなＤＣ電気モータ又はＡＣ電気モータであってもよい。図示されたトランスミッション３５８は第１プーリ３６２、第２プーリ３６４及びベルト３６６を有していてもよい。線形駆動装置３６０は、外ねじ軸、ウォーム、又はねじ３６８、ブッシュ３７０、外軸３７２、及びシリンジインターフェース３７４を有していてもよい。トランスミッション３５８は、減速トランスミッション３５８であってもよい。例えば、第１プーリ３６２の径に対する第２プーリ３６４の径の比は、１．５：１、２：１、３：１、４：１、５：１、８：１、１２：１又はそれ以上より大きくてもよい。シリンジインターフェース３７４は、幅広の外端レセプタクル３７６と、シャフトスロット３７８を有していてもよい。いくつかの実施形態では、これらの要素３５６，３５８，３６０のいくつか又は全ては実質的に又は全体的に非鉄であってもよい。さらに、これらの要素３５６，３５８，３６０のいくつか又は全ては部分的に、実質的に又は全体的に遮蔽材３１０によって遮蔽されてもよい。
【０１０９】
動作中、電気モータ３５６は第１プーリ３６２を駆動する。第１プーリ３６２が回転すると、ベルト３６６は第２プーリ３６４を回転させる。第２プーリ３６４の回転により、ねじ３６８が駆動され、ブッシュ３７０内で回転する。ブッシュ３７０は、ねじ３６８の回転により線形力がブッシュ３７０に加えられるように、ねじが切られている。線形スライド機構は、ブッシュ３７０の回転を防止する一方、ねじ３６８の上下に沿ったブッシュ３７０の平行移動を許容する。ねじ３６８が回転すると、外軸３７２はブッシュ３７０によりねじ３６８を引き下げ、又は引き上げる。外軸３７２はねじ３６８に対して線形的に平行移動し、シリンジインターフェース３７４を介してシリンジ３１６を駆動する。
【０１１０】
図１９は、図１−１８を参照して説明したように、１又は複数のシリンジを利用する例示的な核医療プロセスを示すフローチャートである。図示するように、プロセス３８０は、ブロック３８２で核医療用の放射性同位体を提供することにより開始する。例えば、ブロック３８２は放射性同位体発生器からテクネチウム−９９ｍを放出することを含む。ブロック３８４では、プロセス３８０は、患者の特定の部位例えば器官のために放射性同位体を目標とするように適合された標識剤（例えば、エピトープ又は他の適切な生物学的指標部分（biological directing moiety））を提供することにより開始する。ブロック３８６では、プロセス３８０は、放射性同同位体を標識剤と組み合わせて核医療用の放射性薬剤を提供することにより開始する。ある実施形態では、放射性同位体は特定の器官又は組織に向かって濃縮する自然傾向がある。これにより、放射性同位体は補足標識剤を追加することのない放射性薬剤としての特徴がある。ブロック３８８では、プロセス３８０は、核医療施設又は病院の患者に放射性薬剤を投与するのに適した容器のような、シリンジ又は他の容器に１又はそれ以上の投与量の放射性薬剤を引き出すことにより開始する。ブロック３９０では、プロセス３８０は、患者に１投与量の放射性薬剤と１又はそれ以上の補足流体を注入することにより開始する。所定時間後、プロセス３８０は、患者の器官又は組織にタグ付けされた放射性薬剤を検出/イメージングすることにより開始する。例えば、ブロック２９３は、ガンマカメラ又は他の放射線画像形成装置を使用して、脳、心臓、肝臓、腫瘍、癌組織、又は種々の他の器官又は病変組織の上、中、又は境界に配置された放射性薬剤を検出することを含む。
【０１１１】
図２０は、核医療用途に使用するために配置された放射性薬剤を有するシリンジを提供する例示的システム３９４のブロック図である。例えば、シリンジは図１−１８を参照して説明されたシリンジの一つである。説明したように、システム３９４は、放射性同位体発生器３９８、溶離液（eluant）供給容器４００、及び溶離液出力容器又は投与容器４０２を有するコンテナ放射性同位体放出システム３９６を含んでいてもよい。ある実施形態では、溶離液出力容器４０２は真空である。これにより、溶離液供給容器４００と溶離液出力容器４０２の間の圧力差により、放射性同位体発生器３９８を通り、溶離液導管を経て、溶離液出力容器４０２に入る溶離液（例えば塩水）の循環が促進される。溶離液例えば食塩水が放射性同位体発生器３９８を通って循環する際に、循環溶離液は、放射性同位体を洗浄し、又は放射性同位体例えばテクネチウム−９９ｍを溶出する。例えば、放射性同位体発生器３９８の１つの実施形態は、アルミナ又は樹脂交換カラムのビードの表面に吸収されたモリブデン−９９のような放射性親同位体を包囲する放射線遮蔽外側ケーシング（例えば鉛シェル）を有していてもよい。放射性同位体発生器３９８の内側には、親モリブデン−９９は、約６７時間の半減期で、順安定テクネチウム−９９ｍに変換する。娘放射性同位体例えばテクネチウム−９９ｍは、一般に、放射性同位体発生器３９８内で親放射性同位体例えばモリブデン−９９よりも弱い固さで保持される。したがって、娘放射性同位体例えばテクネチウム−９９ｍは、無酸化剤（oxidant-free）生理食塩水のような適切な溶離剤で、抽出し又は洗浄することができる。放射性同位体発生器３９８から溶離剤出力容器４０２に出力される溶離剤は、概略的に、溶離剤と、放射性同位体発生器３９８内から洗浄され又は溶出された放射性同位体とを含む。溶離剤容器４０２内の所望の量の溶離剤を受け取ると、バルブを閉じて、溶離剤循環と溶離剤出力を停止してもよい。以下のさらに詳細に説明するように、抽出された娘放射性同位体は、望まれるなら、標識剤と組み合わせて、（例えば核医療施設での）患者の診断又は治療を向上することができる。
【０１１２】
図２０にさらに示すように、システム３９４はさらに放射性薬剤生産システム４０４を有していてもよい。この放射性薬剤生産システム４０４は、放射性同位体４０６（例えば、放射性同位体溶出システム３９６の使用により獲得されるテクネチウム−９９ｍ溶液）を標識剤４０８と組み合わせる機能を有する。いくつかの実施形態では、放射性薬剤生産システム４０４は、「キット」（例えば、診断放射性薬剤の準備のためのテクネスキャン（Technescan；登録商標）キット）として当業者に公知であるものに言及し、又はそれを含む。重ねて言うが、標識剤は患者の特定部位（例えば器官、組織、腫瘍、癌等）に引き付けられ、又は目標とされる種々の物質を含んでいてもよい。この結果、放射性薬剤生産システム４０４は、ブロック４１０で示すように、放射性同位体４０６と標識剤４０８を含む放射性薬剤を生産し、又は生産するのに利用されてもよい。図示されたシステム３９４はまた、図１−１８に示すようなバイアル又はシリンジ４１４への放射性薬剤の抽出を促進する放射性薬剤払出システム４１２を有していてもよい。ある実施形態では、システム８１４の種々の要素と機能は放射性薬局に配置されてもよい。放射性薬局は、核医療用途で使用する放射性薬剤のシリンジ４１４を準備する。例えば、シリンジ４１４は、準備されて、患者の診断又は治療に使用するために、医療施設に配送される。
【０１１３】
図２１は、図２０のシステム３９４を使用して設けられた放射性薬剤のシリンジ４１４を利用する例示的核医療イメージングシステム４１６のブロック図である。図示するように、核医療イメージング装置４１６はまた、シンチレータ（scintillator）４２０と光検出器４２２を有する放射線検出器４１８を含んでいてもよい。患者４２６内の標識器官（tagged organ）から放出される放射線４２８に応答して、シンチレータ４２０は光を放出し、該光は光検出器４２２により検出され、光信号に変換される。図示しないが、イメージングシステム４１６は、放射線検出器４１８に向かって導かれた放射線４２２を平行にするコリメータを含むことができる。図示されたイメージングシステム４１６はまた、検出器取得回路（detector acquisition circuitry）４２８と画像処理回路４３０を含んでいてもよい。検出器取得回路４２８は、一般に、放射線検出器４１８からの電子信号の取得を制御する。画像処理回路４３０は、電子信号を処理し、診察プロトコル等を実行するのに利用される。図示された画像処理システム４１６はまた、画像処理回路４３０とイメージングシステム４１６の他の要素との相互作用を向上するユーザインターフェース４３２を含んでいてもよい。この結果、イメージングシステム４１８は、患者４２６内のタグ付き器官のイメージ４３４を生成する。
【０１１４】
本発明の種々の実施形態の要素を紹介するとき、「１の」、「その」、「前記」は、１又は複数の要素があることを意味するように意図されている。「からなる」、「含む」、「有する」は、リストアップされた要素以外の追加の要素があることを意味するように意図されている。さらに、「天」、「底」、「上」、「下」及びこれらの用語の変形の使用は、便宜的であるが、要素の特定の方位を要求しているのではない。
【０１１５】
本発明は種々の修正及び代案形態を受け入れる余地があるが、特定の実施形態を図に一例として示し、詳細に説明した。しかしながら、本発明は開示された特定の形態に限定するように意図されるものではないことを理解されるべきである。むしろ、本発明は、請求の範囲により規定される本発明の精神及び範囲内にある全ての修正、均等物及び代案を含むものである。
【図面の簡単な説明】
【０１１６】
【図１】放射性薬剤を収容する容器のための改良ピッグの一つの実施形態をライフサイクルにわたって示す概略図。
【図２】図１に示す改良ピッグの斜視図。
【図３】図１に示す改良ピッグにおいて実行される電子回路の概略ブロック図。
【図４】放射性薬剤を収容する容器のためのコントローラ、ドーズキャリブレータ、及び改良ピッグのさらなる実施形態を示す概略図。
【図４Ａ】図４に示す改良ピッグの端面の概略図。
【図５】シリンジとピッグの組合せの使用を示す概略図。
【図６Ａ】シリンジとピッグの組合せの１つの実施形態の斜視図。
【図６Ｂ】シリンジとピッグの組合せの１つの実施形態の斜視図。
【図６Ｃ】シリンジとピッグの組合せの１つの実施形態の斜視図。
【図７Ａ】他のシリンジとピッグの組合せの概略断面図。
【図７Ｂ】図６Ａのシリンジとピッグの組合せの斜視図。
【図７Ｃ】さらに他のシリンジとピッグの組合せの概略断面図。
【図８】マルチ投与（multi-dose）放射性薬剤の充填及び供給システムの例示的実施形態を示す概略図。
【図９】図８のマルチ投与放射性薬剤の充填及び供給システムとともに使用される充填及び注入装置に装着されるバイアル及びバイアル容器の断面図。
【図１０】図８のマルチ投与放射性薬剤の充填及び供給システムとともに使用される充填及び注入装置の正面立面図。
【図１１】図８のマルチ投与放射性薬剤の充填及び供給システムとともに使用される充填及び注入装置に装着されるバイアル容器の斜視図。
【図１２】図８のマルチ投与放射性薬剤の充填及び供給システムとともに使用される充填及び注入装置の制御システムの概略ブロック図。
【図１３】コードレス充填及び注入装置の例示的実施形態の概略ブロック図。
【図１４】バッテリ給電される充填及び注入装置の例示的実施形態の概略ブロック図。
【図１５】コンデンサ給電される充填及び注入装置の例示的実施形態の概略ブロック図。
【図１６】コードレス充填及び注入装置とドッキングステーションの例示的実施形態の概略図。
【図１７】二重シリンジを有するコードレス充填及び注入装置の例示的実施形態の概略図。
【図１８】例示的シリンジを有するコードレス充填及び注入装置の例示的実施形態の概略図。
【図１９】図１−１８に示す１又はそれ以上実施形態を使用する核医療プロセスの例示的実施形態を示すフローチャート。
【図２０】図１−１８に示す１又はそれ以上実施形態を使用する放射性薬剤製造システムの例示的実施形態を示すブロック図。
【図２１】図１−１８に示す１又はそれ以上実施形態を使用する核画像形成システムの例示的実施形態を示すブロック図。
【符号の説明】
【０１１７】
１９  放射性薬剤ライフシステム
２０  容器
２４  供給者設備
２６  治療室
２７  診療室
２８  充填ステーション
２９  核医療部
３１  品質管理ステーション
３３  ピッグ
３４  輸送箱
３６  包装ステーション
３８  輸送/受入れ部
４０  輸送経路
４２  医療施設
４８  放射性薬局
４９  放射線量キャリブレーション処理
６９  シリンジ
【図１】
2008540038.tif 000003
【図２】
2008540038.tif 000004
【図３】
2008540038.tif 000005
【図４】
2008540038.tif 000006
【図４Ａ】
2008540038.tif 000007
【図５】
2008540038.tif 000008
【図６Ａ】
2008540038.tif 000009
【図６Ｂ】
2008540038.tif 000010
【図６Ｃ】
2008540038.tif 000011
【図７Ａ】
2008540038.tif 000012
【図７Ｂ】
2008540038.tif 000013
【図７Ｃ】
2008540038.tif 000014
【図８】
2008540038.tif 000015
【図９】
2008540038.tif 000016
【図１０】
2008540038.tif 000017
【図１１】
2008540038.tif 000018
【図１２】
2008540038.tif 000019
【図１３】
2008540038.tif 000020
【図１４】
2008540038.tif 000021
【図１５】
2008540038.tif 000022
【図１６】
2008540038.tif 000023
【図１７】
2008540038.tif 000024
【図１８】
2008540038.tif 000025
【図１９】
2008540038.tif 000026
【図２０】
2008540038.tif 000027
【図２１】
2008540038.tif 000028
【国際調査報告】
2008540038.tif 000029
2008540038.tif 000030
2008540038.tif 000031
2008540038.tif 000032
2008540038.tif 000033